(57)【要約】【課題】従来使用されていた鼓膜用のドレーンチューブは内耳側、外耳側の何れの側にもチューブ本体よりもかなり大きな鍔状体を有するため、鼓膜にはめ込むために必要以上に大きく切開しなくてはならず、狭い耳道内で手術をするためにはかなりの熟練が必要であり、手術時間が長くなってしまい、さらに抜去のための手術が必要など患者への負担が大きかった。【解決手段】外耳側の後端を大径に設け、且つ前端に向かって先細り状に設けた中空管の先端部をトリミング自在に形成し、鼓膜に設けた切開孔に明視下での挿着を可能に設け、自然脱落可能に構成する。【選択図】図１
2008061983.tif 000002
【特許請求の範囲】
【請求項１】
後端を大径に設け、且つ前端に向かって先細り状に形成した中空管を、鼓膜に設けた切開孔に明視下で安全に挿着可能に構成した鼓膜ドレーンチューブ。
【請求項２】
中空管を可塑性体等で形成し、症状に応じて容易にトリミング可能に設けた請求項１記載の鼓膜ドレーンチューブ。
【請求項３】
後端に鍔部を設けた事を特長とする、請求項１及び請求項２記載の鼓膜ドレーンチューブ。
【請求項４】
中空管に細孔を設けた事を特長とする、請求項１および請求項２並びに請求項３記載の鼓膜ドレーンチューブ。
【請求項５】
後端にベロ状の補助具を設けた事を特長とする、請求項１乃至請求項４記載の鼓膜ドレーンチューブ。
【請求項６】
片側を水平に設け、反対側を先端に向かって傾斜させて不均等な先細り状に形成した事を特長とする、請求項１乃至請求項５記載の鼓膜ドレーンチューブ。
【発明の詳細な説明】
【技術分野】
【０００１】本発明は耳科手術に於いて、滲出性中耳炎等の滲出液を外耳へ誘導排出させるドレーンチューブに関する。
【背景技術】
【０００２】滲出性中耳炎等に罹患すると、中耳腔に滲出液がたまり、鼓膜や耳小骨の動きが悪くなり外耳道を伝わって入って来た音が内耳に伝わりにくくなってしまう。【０００３】このため、中耳腔に滲出液がたまっている時は、鼓膜を切開したり、滲出液を強制的に吸引したりして中耳腔より滲出液を排除しなければならない。
【発明の開示】
【発明が解決しようとする課題】
【０００４】中耳腔にたまった滲出液を排除すると、通常の場合聴力は回復するが、鼓膜に開けられた穴は数日間で閉じてしまうので、完治に至らなかった場合に置いては、再度塞がった中耳腔に滲出液がたまり元の症状に戻る場合が多々ある。【０００５】このため、鼓膜切開の後に耳管を通して中耳腔に空気を送る通気療法が滲出性中耳炎等の治療の上で重要な要素になっている。【０００６】この通気療法のために、現在鼓膜ドレーンチューブと呼ばれる通気用の穴を有する器具を鼓膜にはめ込み、固定する事で中耳腔の空気の循環を可能にしている。【０００７】ところが現在使用されている鼓膜ドレーンチューブは、もっとも一般的に施術されているコーケン社製のドレーンチューブを始めとして図９乃至図１２の参考図にあるように、治療中に容易に離脱しないようにと外耳側はもちろんの事、中耳側にも鍔状体が設けられている。【０００８】この鍔状体は確かに離脱しないためには有効であるが、それを挿着するためには様々な課題がある。【０００９】すなわち、従来品は鍔状体が大きい為、これを鼓膜にはめ込むために必要以上に鼓膜を大きく切開しなくてはならず、狭い耳道内で手術をするためにはかなりの熟練が必要である。【００１０】さらに従来品は堅いものが多く、患者の症状に応じて加工することが困難である。【００１１】従って手術に多大な手間がかかり、どうしても手術時間が長くなってしまい、患者への痛みを伴う負担もかなり大きなものになる。【００１２】患者への負担が大きいために、手術時に使用する麻酔も局所麻酔では足りず、結局大掛かりになってしまい、そのため数日間の入院が必要になるなど、外来での簡単な手術で終える事が困難となっている。【００１３】さらに、生体の異物反応により粘液栓を形成して通気口を詰まらせたり、チューブ周囲に仮皮形成したりと大きなトラブルとなることもある。【００１４】その他、チューブと鼓膜との間に微少な隙間が出来、この部分の刺激により炎症を起こしたり、或いは耳垢が溜って不衛生になる事も多々ある。【００１５】また症状が改善し、当該ドレーンチューブが不要になった場合、早期抜去のためには再度鼓膜の切開の手術が必要になってしまう。【００１６】このため症状が大幅に改善、あるいは治癒した後も自然脱落を待つためには長期間、たとえば６０日余りに渡って插管を持続しなければならない場合も多々ある。
【発明を解決するための手段】
【００１７】本発明は上述したような、従来型の鼓膜ドレンチューブに於ける解決すべき課題を解消した鼓膜ドレンチューブを提供するものである。
【００１８】すなわち、従来中耳側にあった鍔状体を取り去り、全体を先細り状に設ける。
【００１９】外耳側の鍔部は鼓膜との刺激及び接触面積の少ない環状に設け、麦粒鉗子等で摘んだ場合に先端が僅かに上方を向くように形成する。
【００２０】本体は可塑性体等で設け、ハサミ等で容易にトリミング可能に設ける。
【発明の効果】
【００２１】本発明に掛かる鼓膜ドレンチューブは、従来より使用されているものに比較して以下のような効果を見出す事が可能である。
【００２２】まず、中耳側に鍔状体がないので鼓膜に穴を開ける時の切開部を小さくできるために手術の時間を短縮出来る。
【００２３】当該ドレーンチューブを麦粒鉗子等の器具で摘んだ場合、その先端が僅かに上方を向くために先端位置を視認でき、明視下での挿着が可能となり手術の安全性を大きく高める事ができる。
【００２４】また患者への手術時の負担が小さくて済むので、使用する麻酔等の量が必要最小限で済み、そのため手術入院の必要がない。
【００２５】中空管が先細り状に設けてあるので三週間までには自然脱落し、またその間のトラブル発生時には容易に抜去することが出来る。
【００２６】従って插管期間が短いので生体にトラブルが発生しにくく、万一のトラブル発生でも対処が容易である。
【００２７】ハサミ等で長さの調節等トリミングが出来るので、患者の症状に合せてその場で加工する事が可能であり、尚かつ插管しやすいようにカットする事も可能である。
【００２８】多孔型の中空管を用いればより多くの量の空気を中耳内に循環させる事ができる。
【００２９】構造が簡単なため従来品に比較して通気口の内径を大きく出来、従来使用されているドレーンチューブよりも多くのベンチレーション効果を高めることが可能である。
【００３０】術後に何らかのトラブルが起きたとしても、すぐに抜去してトラブルを除去する事ができるので、トラブルに対する処置が迅速に出来る。
【発明を実施するための最良の形体】
【００３１】本発明にかかる鼓膜ドレーンチューブは、後端を大径に設け、且つ前端に向かって先細り状に設けた中空管の先端部を症状に応じて自由に切断し、鼓膜に設けた切開孔に明視下での容易な挿着を可能に設ける。
【実施例】
【００３２】以下、本発明に係る鼓膜ドレーンチューブを図面を元にして説明すると、図１は本発明の斜視図、図２は断面図、図３は挿着時の説明図、図４は摘持時の説明図である。【００３３】鼓膜ドレーンチューブ本体１の外耳道側にあたる後端部２に、環状に形成した縁部３を設ける。【００３４】鍔部３に連続する中空管４の後側は径が大きく、先端５側に行くほど小径になる先細り状に形成する。【００３５】中空管４先端５を斜めに切断形成し、本発明に於けるドレーンチューブ１を鼓膜６の切開孔７に挿入可能に設けてある。【００３６】８は中耳腔、９は外耳道である。【００３７】本発明に於ける鼓膜ドレーンチューブ１は鼓膜６にごく小さな穴を開けて装着するだけで良く、鼓膜６の切開手術は簡単且つ短時間に済ます事ができる。【００３８】さらに、後端２を麦粒鉗子１０などの器具で摘むと先端部５が視認でき、明視下で鼓膜６の切開孔７に挿着できるので安全性を高く保てる。【００３９】また、中空管４は可塑性体で形成しているためハサミ等で容易にトリミング可能であり、患者の年齢や症状に合せて長さ等をその場で調整する事が可能である。【００４０】このため、患者の生体反応による異物の排斥作用で当該ドレーンチューブ１が脱落する期間と、治療に要する期間とを計算してチューブの長さを決定し、完治と時を同じくして当該ドレーンチューブ１が脱落するよう挿着する事も可能である。【００４１】さらに、抜去する場合は挿着した状態のドレーンチューブ１を器具で摘んで引き抜くだけで良く、抜去のための手術などもほとんど必要ない。【００４２】図５は本発明の第３実施例の説明図である。後端２に環状の鍔部１１を設けたものである。【００４３】この状態で鼓膜６に挿着した場合、切開孔７が大き過ぎた場合でも過って挿入し過ぎる事がない。【００４４】図６は本発明の第４実施例の説明図である。【００４５】中空管４に複数の細孔１２を設けたものである。【００４６】これを鼓膜６に装着する事により、外耳道９より中耳腔８へ循環する空気の量が増加し、より治療効果を高める事ができる。【００４７】図７は本発明の第５実施例の説明図である。【００４８】後端２にベロ状の補助具１３を取り付け、抜去時に器具での摘持を容易にしてある。【００４９】これにより抜去のための施術の時間の短縮が可能となる。【００５０】図８は本発明の第６実施例の説明図である。【００５１】ドレンチューブ１の中空管４部の下側は直線上に形成し、反対の上側は緩いカーブを有するテーパー状に設けて先細り状に形成したものである。【００５２】本来鼓膜６は平板状ではなく湾曲しているため、鼓膜６の切開部分も平坦ではない。【００５３】そのため単純なテーパー状に形成したものに比較してより插管しやすく、また治療期間の生体反応による排斥作用もスムーズで、自然脱落までの時間も短くてすむ。
【産業上の利用可能性】
【００５４】上述したごとく、従来のドレンチューブ装着に比べて、患者の受ける負担が大幅に低減するので、耳鼻科医療に於いて広く採用されるものと思われ、医療技術の向上にも大きく貢献可能である。
【図面の簡単な説明】
【００５５】
【図１】本発明の斜視図
【図２】本発明の断面図
【図３】装着時の説明図
【図４】摘持時の説明図
【図５】第３実施例の説明図
【図６】第４実施例の説明図
【図７】第５実施例の説明図
【図８】第６実施例の説明図
【図９】従来品の参考図
【図１０】従来品の参考図
【図１１】従来品の参考図
【図１２】従来品の参考図
【符号の説明】
【００５６】１        鼓膜ドレーンチューブ
２        後端部
３        縁部
４        中空管
５        先端
６        鼓膜
７        切開孔
８        中耳腔
９        外耳道
１０      麦粒鉗子
１１      鍔部
１２      細孔
１３      補助具
【図１】
2008061983.tif 000003
【図２】
2008061983.tif 000004
【図３】
2008061983.tif 000005
【図４】
2008061983.tif 000006
【図５】
2008061983.tif 000007
【図６】
2008061983.tif 000008
【図７】
2008061983.tif 000009
【図８】
2008061983.tif 000010
【図９】
2008061983.tif 000011
【図１０】
2008061983.tif 000012
【図１１】
2008061983.tif 000013
【図１２】
2008061983.tif 000014